(57)【要約】      （修正有）【課題】複数個のオニギリを簡単に製造することができるオニギリ成型器を提供する。【解決手段】上突状の上半球部３が複数個形成された枠体２から成る雄型１と、上半球部３に接合する下突状の下半球部１３が複数個形成された枠体１２から成る雌型１１と、雌型１１を下方から受ける雌型１１の受部２１とを備える。雌型１１の下半球部１３以外の箇所は空所１６となっており、また雄型１の下面には空所１６に突入する突部６が突設されており、ご飯が入れられた雌型１１に雄型１を嵌合させることにより、互いに接合された上半球部３と下半球部１３により球状のオニギリを形成し、空所１６上のご飯を突部６により受部２１上に押し出すようにした。【選択図】図１
0003147696.tif 000002
【実用新案登録請求の範囲】
【請求項１】
上突状の上半球部が複数個形成された枠体から成る雄型と、前記上半球部に接合する下突状の下半球部が複数個形成された枠体から成る雌型と、雌型を下方から受ける雌型の受部とを備え、前記雌型の下半球部以外の箇所は空所となっており、また前記雄型の下面には前記空所に突入する突部が突設されており、ご飯が入れられた雌型に雄型を嵌合させることにより、互いに接合された前記上半球部と前記下半球部により球状のオニギリを形成し、前記空所上のご飯を前記突部により前記受部上に押し出すようにしたことを特徴とするオニギリ成型器。
【請求項２】
前記雄型の枠体の縁部を外方へ延出して形成し、この縁部により前記雌型に充てんされたご飯の上面をならすようにしたことを特徴とする請求項１記載のオニギリ成型器。
【考案の詳細な説明】
【技術分野】
【０００１】
本考案は、オニギリを簡単に製造できるようにしたオニギリ成型器に関するものである。
【背景技術】
【０００２】
オニギリ成形器は、一般に、２つの型板を接合させることにより製造するようになっている（特許文献１、２、３）。
【特許文献１】特開平１０−７０９６３号公報
【特許文献２】特開２００６−１４６５８号公報
【特許文献３】特開２００７−２２８８８７号公報
【考案の開示】
【考案が解決しようとする課題】
【０００３】
しかしながら従来のオニギリ成型器は、特に型板の凹部内にご飯を充てんする作業が面倒であり、あるいは構造が複雑であってコスト高である等問題点があった。
【０００４】
そこで本考案は、複数個のオニギリを簡単に製造することができるオニギリ成型器を提供することを目的とする。
【課題を解決するための手段】
【０００５】
請求項１記載のオニギリ成型器は、上突状の上半球部が複数個形成された枠体から成る雄型と、前記上半球部に接合する下突状の下半球部が複数個形成された枠体から成る雌型と、雌型を下方から受ける雌型の受部とを備え、前記雌型の下半球部以外の箇所は空所となっており、また前記雄型の下面には前記空所に突入する突部が突設されており、ご飯が入れられた雌型に雄型を嵌合させることにより、互いに接合された前記上半球部と前記下半球部により球状のオニギリを形成し、前記空所上のご飯を前記突部により前記受部上に押し出すようにした。
【０００６】
請求項２記載のオニギリ成型器は、好ましくは前記雄型の枠体の縁部を外方へ延出して形成し、この縁部により前記雌型に充てんされたご飯の上面をならすようにした。
【考案の効果】
【０００７】
本考案によれば、雌型にご飯を入れ、雄型と雌型を嵌合させることにより、複数個のオニギリを簡単に製造することができる。
【考案を実施するための最良の形態】
【０００８】
図１は本考案の一実施の形態におけるオニギリ成型器の全体斜視図、図２（ａ）は同雄型の平面図、図２（ｂ）は同雄型の底面図、図３（ａ）は同雄型の側面図、図３（ｂ）は同雄型の断面図、図４は同上下反転した雄型の部分斜視図、図５は同雌型の平面図、図６は同雌型の断面図、図７は同雌型に充てんされたご飯を雄型の縁部によりならしている様子を示す正面図、図８は同雄型と雌型の嵌合前の正面図、図９は同雄型と雌型の嵌合状態の断面図、図１０は同雄型を雌型から分離させた状態の正面図、図１１は同焼きオニギリを焼成中の焼台の断面図である。
【０００９】
図１において、オニギリ成型器Ａは、雄型１と雌型１１と受部２１から成っている。図１〜図３において、雄型１は、横長の枠体２の内部に上突状の上半球部３を複数個（本例では４個）横一列に形成して成っている。上半球部３の頂部には蒸気抜き孔４が小さく形成されている。枠体２の両側部には縁部５が外方へ延出して形成されている。図３、図４において、雄型１の底面の上半球部３の周囲（半球部３が形成されていない箇所）には、突部６が下方へ突設されている。
【００１０】
図１、図５、図６において、雌型１１は横長の枠体１２の内部に上記上半球部３に対向する複数個の下半球部１３を横一列に形成して成っている。下半球部１３は小片１４により枠体１２に結合されており、それ以外の箇所（雄型１の突部６に対向する箇所）は空所１６になっている。また枠体１２の両側部には縁部１５が外方へ延出して形成されている。
【００１１】
図７は、雌型１１の内部にご飯ａを入れ、雄型１を水平方向Ｎへ移動させてその縁部５でその上面をならして、ご飯ａの量を適量にしている様子を示している。このように、雌型１１の内部にご飯ａを入れてご飯ａの上面をならせばよいので、複数個のオニギリを簡単に作ることができる。すなわち、雄型１の縁部５は、雌型１１に入れられたご飯ａの上面を平坦にならすならし部になっている。ご飯ａの上面をならした後、好みによって昆布、梅などの具ｂを半球状のご飯ａの中央に入れる。
【００１２】
図８は、上述のようにして雌型１１にご飯ａを入れた後、雌型１１内にご飯ａを更に入れて雌型１１をご飯ａでほぼ満杯にした後、上方から雄型１を嵌合させている様子を示している。雌型１１は、箱形の受部２１内に嵌合されて下方から受けられている。２５は受部２１の縁部である。また雄型１の下面の突部６は、雌型１１の空所１６に対向している。図９は雄型１を雌型１１に嵌入させた状態を示している。この状態で、縁部５、１５、２５は順に当接している。これにより、互いに接合した上半球部３と下半球部１３の内部には球形のオニギリａ１が形成される。また雌型１１の空所１６上に存在したご飯ａは、雄型１の突部６が空所１６に上方から突入することにより下方へ押し出され、受部２１上に余りのご飯ａ２として溜っている。
【００１３】
次いで図１０に示すように雄型１を雌型１１から分離させ、オニギリａ１を雌型１１から取り出す。また好みに応じて、図１１に示すようにオニギリａ１を焼台３０の半球形の凹部３１に入れて、つまようじのような治具３２で回転させながらオニギリａ１の表面を焼成する。この場合、好ましくは、凹部３１の内表面に味付け用油を塗布しておく。波線矢印は、焼成時の熱をあらわしている。
【００１４】
本考案は上記実施の形態に限定されないのであって、例えば上記実施の形態では雄型と雌型には上半球部と下半球部が横方向に一列に個数４個形成されているが、横方向に二列あるいは二列以上に任意個数形成してもよいものである。また上下球部や下半球部の内面には、ご飯が付着しにくいように、しゃもじに形成されているような小リブを多数個突設してもよいものである。
【産業上の利用可能性】
【００１５】
本考案によれば、雌型にご飯を入れ、雄型と雌型を嵌合させることにより、複数個のオニギリを簡単に製造することができる。
【図面の簡単な説明】
【００１６】
【図１】本考案の一実施の形態におけるオニギリ成型器の全体斜視図
【図２】（ａ）本考案の一実施の形態におけるオニギリ成型器の雄型の平面図（ｂ）本考案の一実施の形態におけるオニギリ成型器の雄型の底面図
【図３】（ａ）本考案の一実施の形態におけるオニギリ成型器の雄型の側面図（ｂ）本考案の一実施の形態におけるオニギリ成型器の雄型の断面図
【図４】本考案の一実施の形態におけるオニギリ成型器の上下反転した雄型の部分斜視図
【図５】本考案の一実施の形態におけるオニギリ成型器の雌型の平面図
【図６】本考案の一実施の形態におけるオニギリ成型器の雌型の断面図
【図７】本考案の一実施の形態におけるオニギリ成型器の雌型に充てんされたご飯を雄型の縁部によりならしている様子を示す正面図
【図８】本考案の一実施の形態におけるオニギリ成型器の雄型と雌型の嵌合前の正面図
【図９】本考案の一実施の形態におけるオニギリ成型器の雄型と雌型の嵌合状態の断面図
【図１０】本考案の一実施の形態におけるオニギリ成型器の雄型を雌型から分離させた状態の正面図
【図１１】本考案の一実施の形態におけるオニギリ成型器の焼きオニギリを焼成中の焼台の断面図
【符号の説明】
【００１７】
Ａ  オニギリ成型器
１  雄型
２  枠体
３  上半球部
５  縁部
６  突部
１１  雌型
１２  枠体
１３  下半球部
１６  空所
２１  受部
【図１】
0003147696.tif 000003
【図２】
0003147696.tif 000004
【図３】
0003147696.tif 000005
【図４】
0003147696.tif 000006
【図５】
0003147696.tif 000007
【図６】
0003147696.tif 000008
【図７】
0003147696.tif 000009
【図８】
0003147696.tif 000010
【図９】
0003147696.tif 000011
【図１０】
0003147696.tif 000012
【図１１】
0003147696.tif 000013